(57)【要約】セルラ通信システム（１００）のユーザ端末（１２０、１３０）において使用する方法（５００）である。本方法によれば、ユーザ端末は、第１のタイミング・アドバンス値を制御ノード（１４０）への送信に適用し（５０５）、ユーザ端末（１２０、１３０）は、アクセス要求（ＭＳＧ１）を送信することにより、コンテンションベース手順で制御ノード（１４０）との通信を要求し、これに応答して、制御ノードは、第２のタイミング・アドバンス値と共に（５２０）開始メッセージ（ＭＳＧ２）を送信する（５１５）。本方法によれば（５００）、ユーザ端末がコンテンションベース手順を失うのであれば、即ち、制御ノードがその他のユーザ端末と開始した通信を引き続いて継続するのであれば、ユーザ端末（１２０、１３０）は第１のタイミング・アドバンス値を使用する（５３０）。
2011503960.tif 000002
【特許請求の範囲】
【請求項１】
セルラ通信システム（１００）において、ユーザ端末（１２０、１３０）で使用するための方法（５００）であって、
前記ユーザ端末（１２０、１３０）が、第１のタイミング・アドバンス値（ＴＴＡ１）を制御ノード（１４０）への送信に適用し（５０５）、
前記ユーザ端末（１２０、１３０）が、アクセス要求（ＭＳＧ１）を送信することによって、コンテンションベース手順において前記制御ノード（１４０）との通信を要求し（５１０）、
前記制御ノード（１４０）が、応答として、第２のタイミング・アドバンス値（ＴＴＡ２）と共に（５２０）、開始メッセージ（ＭＳＧ２）を送信し（５１５）、
前記ユーザ端末（１２０、１３０）が前記コンテンションベース手順を失った場合である、前記制御ノードが他のユーザ端末と開始した通信を引き続き継続する場合に、前記ユーザ端末（１２０、１３０）が前記第１のタイミング・アドバンス値を使用する（５２３、５２４）
ことを特徴とする方法。
【請求項２】
前記ユーザ端末が、前記開始メッセージに続くメッセージ（ＭＳＧ３）において、前記第２のタイミング・アドバンス値を使用する（５２１）ことを特徴とする請求項１に記載の方法。
【請求項３】
前記ユーザ端末が、該ユーザ端末が前記コンテンションベース手順を獲得した場合に、前記第２のタイミング・アドバンス値を使用する（５３２）ことを特徴とする請求項２に記載の方法。
【請求項４】
前記ユーザ端末が、該ユーザ端末が前記コンテンションベース手順を獲得した場合に、前記第１のタイミング・アドバンス値を使用する（５３１）ことを特徴とする請求項１に記載の方法。
【請求項５】
前記ユーザ端末によって前記第１のタイミング・アドバンス値が有効と見なされれば、該第１のタイミング・アドバンス値が適用される（５３５）ことを特徴とする請求項１乃至４の何れか１項に記載の方法。
【請求項６】
前記ユーザ端末が使用するタイミング・アドバンス値は、タイマに関連付けられ、該タイマが継続する間は有効と見なされ、
前記タイマは、前記制御ノード（１４０）からの所定のメッセージの受信に応じて起動され、前記第１及び第２のタイミング・アドバンス値がそれぞれのメッセージの受信に応じて起動される第１のタイマ及び第２のタイマとそれぞれ関連付けられる（５４０）ことを特徴とする請求項１又は２に記載の方法。
【請求項７】
前記ユーザ端末が、前記第２のタイマを起動するメッセージの受信後に、前記第１のタイミング・アドバンス値に関連付けられた前記第１のタイマを継続して使用し、引き続き使用する前記タイミング・アドバンス値に関連付けられたタイマ値を使用する（５４５）ことを特徴とする請求項６に記載の方法。
【請求項８】
前記ユーザ端末が、前記第２のタイミング・アドバンス値の受信に応じて、前記第１のタイミング・アドバンス値に関連付けられた前記第１のタイマの値を保存し、
前記制御ノードが前記他のユーザ端末と前記開始した通信を引き続き継続する場合に、前記保存した値と、前記第２のタイミング・アドバンス値のタイマの値との合計値となるタイマ値を使用する（５５０）ことを特徴とする請求項６に記載の方法。
【請求項９】
有効なタイミング調整値を有するユーザ端末は、第２のタイミング・アドバンス値の受信に関わらず、該有効なタイミング調整値を使用する（５５５）ことを特徴とする請求項５又は６に記載の方法。
【請求項１０】
前記方法はＬＴＥ（ロング・ターム・エボリューション）システムに適用され、
前記ユーザ端末（１２０、１３０）は、ＬＴＥ  ＵＥであり、
前記制御ノード（１４０）は、ＬＴＥ  ｅＮｏｄｅＢであることを特徴する請求項１乃至９の何れか１項に記載の方法。
【請求項１１】
前記方法は、ＬＴＥランダム・アクセス手順に提供されることを特徴とする請求項９に記載の方法。
【請求項１２】
セルラ通信システムにおけるユーザ端末として使用されるトランシーバ（６００）であって、
第１のタイミング・アドバンス値を制御ノードへの送信に適用する手段（６４０、６５０）と、
アクセス要求（ＭＳＧ１）を送信することによって、コンテンションベース手順において前記制御ノードとの通信を要求する手段（６４０、６３０、６１０）と、
応答として、第２のタイミング・アドバンス値と共に（５２０）、開始メッセージ（ＭＳＧ２）を受信する手段（６１０、６２０）と、
前記ユーザ端末が前記コンテンションベース手順を失った場合である、前記制御ノードが他のユーザ端末と開始した通信を引き続き継続する場合に、前記第１のタイミング・アドバンス値を使用する手段（６４０、６５０）と
を備えることを特徴とするトランシーバ。
【請求項１３】
前記開始メッセージに続くメッセージにおいて、前記第２のタイミング・アドバンス値を使用する手段（６４０、６５０、６３０、６１０）を備えることを特徴とする請求項１２に記載のトランシーバ。
【請求項１４】
前記コンテンションベース手順を獲得した場合に、前記第２のタイミング・アドバンス値を使用することを特徴とする請求項１３に記載のトランシーバ。
【請求項１５】
前記コンテンションベース手順を獲得した場合に、前記第１のタイミング・アドバンス値を使用する手段（６４０、６５０、６３０、６１０）を備えることを特徴とする請求項１２に記載のトランシーバ。
【請求項１６】
前記ユーザ端末によって前記第１のタイミング・アドバンス値が有効と見なされているかどうかを確認し、該第１のタイミング・アドバンス値が有効であると見なさていれば、該第１のタイミング・アドバンス値を適用する手段（６４０、６５０、６３０、６１０）を備えることを特徴とする請求項１２乃至１５の何れか１項に記載のトランシーバ。
【請求項１７】
タイミング・アドバンス値と、タイマとを関連付ける手段（６４０、６５０）と、
前記タイマが継続する間は前記タイミング・アドバンス値を有効と見なす手段（６４０、６５０）と、
前記制御ノード（１４０）からの所定のメッセージの受信に応じて前記タイマを起動する手段（６１０、６２０、６４０、６５０）と、を備え、
前記第１及び第２のタイミング・アドバンス値がそれぞれのメッセージの受信に応じて起動される第１のタイマ及び第２のタイマとそれぞれ関連付けられることを特徴とする請求項１２又は１３に記載のトランシーバ。
【請求項１８】
前記第２のタイマを起動するメッセージの受信後に、前記第１のタイミング・アドバンス値に関連付けられた前記第１のタイマを継続して使用する手段（６４０、６５０）と、
引き続き使用する前記タイミング・アドバンス値に関連付けられたタイマ値を使用する手段（６４０、６５０）と
を備えることを特徴とする請求項１７に記載のトランシーバ。
【請求項１９】
前記第２のタイミング・アドバンス値の受信に応じて、前記第１のタイミング・アドバンス値に関連付けられた前記第１のタイマの値を保存する手段（６４０、６５０）と、
前記制御ノードが前記他のユーザ端末と前記開始した通信を引き続き継続する場合に、前記保存した値と、前記第２のタイミング・アドバンス値のタイマの値との合計値となるタイマ値を使用する手段（６４０、６５０）と
を備えることを特徴とする請求項１７に記載のトランシーバ。
【請求項２０】
有効なタイミング調整値を有する場合に、第２のタイミング・アドバンス値の受信に関わらず、該有効なタイミング調整値を使用することを特徴とする請求項１６又は１７に記載のトランシーバ。
【請求項２１】
ＬＴＥ（ロング・ターム・エボリューション）システムに適用され、ＬＴＥ  ＵＥとして使用されることを特徴する請求項１２乃至２０の何れか１項に記載のトランシーバ。
【発明の詳細な説明】
【技術分野】
【０００１】
本発明は、セルラ通信システムで使用する方法を開示し、ユーザ端末は、その送信に対する第１のタイミング・アドバンス値を制御ノードに適用する。
【背景技術】
【０００２】
ＬＴＥ（ロング・ターム・エボリューション）として知られる次世代のセルラ・システムでは、下りリンク送信、即ち、セルでのユーザへの送信は、いわゆるＯＦＤＭ変調（直交周波数分割多重）を使用するであろうが、一方、上りリンク送信、即ち、セルでのユーザからの受信は、ＯＦＤＭまたは、ＤＦＴＳ−ＯＦＤＭのようなＯＦＤＭ類似の技術、周波数と同様に時間で直交多重アクセスを許容する送信技術の何れかを使用するであろう。
【０００３】
セルでのユーザへの送信およびユーザからの送信は、セルの制御ノードへ／から行われ、ＬＴＥにおけるこのノードはｅＮｏｄｅＢ、“発展ノードＢ”として知られる。ＬＴＥシステムにおけるユーザは、ＵＥ、“ユーザ装置”と称される。
【０００４】
ＬＴＥシステムで必要とされる直交性を維持するため、セルのＵＥからの複数の送信は、それらがｅＮｏｄｅＢに到達する場合、時間調整される必要がある、即ち、ｅＮｏｄｅＢのセルのＵＥからの複数の送信は、おおよそ同時にｅＮｏｄｅＢに到達する必要がある。
【０００５】
セルにおける異なるＵＥは、セルのｅＮｏｄｅＢから異なる距離に位置する可能性があるため、ＵＥは、それらの送信をｅＮｏｄｅＢに同時に到達させるために、異なる時点でそれらの送信を開始する必要がある。例えば、セルの境界にあるＵＥは、ｅＮｏｄｅＢに近接しているＵＥより前に、その送信を開始する必要がある。
【０００６】
セルにおける異なるＵＥの送信をいつ開始するかという課題は、いわゆる“タイミング・アドバンス”、言い換えれば、ｅＮｏｄｅＢが指定する公称送信時間に比較して、ＵＥがその送信を開始する必要のある時間の“オフセット”値を用いて処理することができる。
【０００７】
ＵＥからの上りリンク送信の到達を測定することにより、ｅＮｏｄｅＢがＵＥのためのタイミング・アドバンス値を決定でき、ＵＥがセル内で移動する可能性があるため、ｅＮｏｄｅＢは定期的な更新とともにＵＥにタイミング・アドバンス値を送信する。
【０００８】
ＵＥがある期間、何も送信しないのであれば、ＵＥが必要とするタイミング・アドバンスは、例えば、ＵＥのｅＮｏｄｅＢからのあり得る移動により、不確実になる。従って、調整されていないＵＥ送信を回避するため、典型的には、ＬＴＥシステムではｅＮｏｄｅＢおよびＵＥの両方にタイマがあり、ＵＥが上りリンクで“同期外れ”に陥ったかを判定する。したがって、ＵＥがそのｅＮｏｄｅＢからの新しいタイミング・アドバンス命令を所定の期間受信しなければ、ＵＥは同期外れであると自分自身で考えるであろう。
【０００９】
同期外れであり、そのｅＮｏｄｅＢと通信を開始する必要のあるＵＥは、ランダム・アクセスとして知られる手順、例えば、以下のような多くのケースで使用する手順を利用するであろう：
・再同期、
・着信ハンドオーバ、
・スケジューリング要求（基地局と連絡を取るために何のリソースも配分されていな
いＵＥのための）、
・ＬＴＥ  ＩＤＬＥまたはＬＴＥ  ＤＥＴＡＣＨＥＤ状態におけるＵＥのための、初期アクセス。
【００１０】
ＬＴＥシステムのために定めたランダム・アクセス手順の１つは、いわゆるコンテンションベース手順であり、以下で簡潔に説明する。
【００１１】
コンテンションベースランダム・アクセスに利用可能なプリアンブルの中の１つをランダムに選択して、ランダム・アクセス手順を開始し、次に、選択したランダム・アクセス・プリアンブルを物理ランダム・アクセス・チャネル、ＰＲＡＣＨでｅＮｏｄｅＢに送信する。
【００１２】
ｅＮｏｄｅＢは、ＵＥからの今後の送信で使用すべきタイミング・アドバンス値の更新を含む応答を送信して、プリアンブルの受信の肯定応答を行う。
【００１３】
２つ以上のＵＥがたまたま１つの同じプリアンブルを選択し、同時に送信した場合、またはむしろ、複数の送信が同時にｅＮｏｄｅＢに到達した場合、ランダム・アクセス手順の間で問題が発生し得る。そのような場合、ＵＥの中の何れがコンテンションベース手順を“獲得”したかをＵＥに知らせる、いわゆるメッセージコンテンツ解決メッセージを送信して競合を解決するであろうが、このようにして、ｅＮｏｄｅＢと通信可能となる。
【発明の概要】
【発明が解決しようとする課題】
【００１４】
しかしながら、コンテンション競合を解決したが、問題は残るであろう：プリアンブルに応答してｅＮｏｄｅＢが送信したタイミング・アドバンス値の更新は、“獲得している”ＵＥからの送信に基づいているが、“コンテンション競合”に含まれるＵＥの全てが採用してしまっている。したがって、１つ以上のＵＥが誤りのあるタイミング・アドバンス値を持つ可能性がある。スケジューリング要求によってコンテンションベース手順に入ったＵＥの場合に、これは具体的に厄介であり、その理由は、その場合におけるＵＥは、その手順に入ってしまう前に、“同期中”であったであろうが、“同期外れ”で手順から出てくる可能性があるためである。
【００１５】
上記の説明から明らかになるように、上記で述べた問題の少なくとも幾つかを取り除くであろう、タイミング・アドバンス値における問題の解決策が必要である。
【００１６】
セルラ通信システムのユーザ端末で使用するための方法を開示する本発明は、そのような解決策を提供する。
【課題を解決するための手段】
【００１７】
本発明の方法では、ユーザ端末はその送信に対する第１のタイミング・アドバンス値を制御ノードに適用し、ユーザ端末は、アクセス要求を送信して、コンテンションベース手順で制御ノードとの通信を要求し、それに応答して、制御ノードは、第２のタイミング・アドバンス値と共に、要求された通信の開始メッセージを送信する。
【００１８】
本発明の方法によると、ユーザ端末がコンテンションベース手順を失えば、即ち、制御ノードが引き続いて他のユーザ端末と開始した通信を続けるのであれば、ユーザ端末は第１のタイミング・アドバンス値を使用する。
【００１９】
したがって、本発明の方法によれば、例えば、ランダム・アクセス手順のようなコンテンションベース手順を“失う”が、その手順の間、手順の”獲得者”のために意図したタイミング・アドバンスを受信したユーザの問題は、ユーザ端末がその手順を失うのであれば、“元の”タイミング・アドバンス値を使用するということで解決される。
【００２０】
本発明の１つの実施形態では、ユーザ端末は開始メッセージの後のメッセージにおいて第２のタイミング・アドバンス値を使用し、この実施形態の１つの実施例では、ユーザ端末がコンテンションベース手順を獲得すれば、ユーザ端末は第２のタイミング・アドバンス・メッセージを使用する。
【００２１】
もう１つの実施形態では、ユーザ端末がコンテンションベース手順を獲得すれば、ユーザ端末は第１のタイミング・アドバンス・メッセージを使用する。
【００２２】
また、本発明の１つの実施例では、ユーザ端末が第１のタイミング・アドバンス値を有効と見なすのであれば、本発明の方法を適用する、例えば、ユーザ端末のタイミング・アドバンス値をタイマと関連付け、当該タイマが継続する間は有効と見なすことにより、それを行うことができる。制御ノードからの所定のメッセージの受信に応じてタイマを適切に起動するが、それは、第１および第２のタイミング・アドバンス値の各々を、それぞれのメッセージを受信して起動した第１および第２それぞれのタイマと関連付けるということである。
【００２３】
“タイマ実施形態”の更なる実施例では、ユーザ端末は、第１のタイミング・アドバンス値と関連付けられたタイマを、第２のタイマと関連付けられたメッセージの受信後、走行を継続させ、引き続いて使用するタイミング・アドバンス値と関連付けられたタイマ値を使用する。それ故、コンテンションベース手順の結果、即ち、ユーザがコンテンションベース手順を“獲得する”か“失う”かと、使用するタイマのどれかを結びつける。
【００２４】
“タイマ実施形態”のもう１つの実施例では、ユーザ端末は、それが第２のタイミング・アドバンス値を受信した場合、第１のタイミング・アドバンス値と関連付けられたタイマの値を保存し、制御ノードが引き続いて、もう１つのユーザ端末と開始した通信を継続するなら、ユーザ端末は、保存した値と第２のアドバンス値のタイマの現在の値との合計であるタイマ値を使用する。言い換えれば、ユーザ端末は、新しいタイミング・アドバンス値の受信した後タイマを再起動するが、それは、リセット時点での“古い”タイマの値を知っているので、ユーザ端末がコンテンションベース手順を“失う”場合でも、“古い”タイマの保存した値を“新しい”タイマの現在の値に加えることにより、ユーザ端末は“古い”タイマに復帰することができる。
【００２５】
これら、およびその他の利点と更なる実施形態とについて、以下で更に詳しく説明する。
【００２６】
また、本発明は、本発明の方法により動作するユーザ端末を開示する。
【００２７】
本発明について、下記の添付図面を参照し、以下に更に詳細に説明する。
【図面の簡単な説明】
【００２８】
【図１】本発明を適用できる可能性のあるシステムの概略的図である。
【図２】問題を示すために、従来技術を示す図である。
【図３】問題を示すために、従来技術を示す図である。
【図４】本発明を示すフローチャートである。
【図５ａ】本発明を示すフローチャートである。
【図５ｂ】本発明を示すフローチャートである。
【図６】本発明のトランシーバのブロック図である。
【発明を実施するための形態】
【００２９】
以下では、ＬＴＥ（ロング・ターム・エボリューション）システムにおける専門用語を使用して、本発明について説明する。しかしながら、強調すべきことであるが、このことは、読者の理解を容易にするために行うのであり、本発明が求める保護の範囲を限定するものとして解釈すべきでなく、本発明は同じ問題が起きるその他のセルラ・システムに適用可能である。また、ここで、上述した背景について、再度簡単に説明する。
【００３０】
図１は、本発明を適用できるシステム１００の概要を示す。図に示すように、システム１００は多くのセルを備え、図１ではそのうちの１つを１１０として示す。各セルは多くのユーザを持つことができ、その中の２つを１２０と１３０として図１に示す。ＬＴＥシステムにおけるユーザの一般的な用語は、“ＵＥ”、ユーザ装置であり、本明細書でも使用する用語であり、図１で使用している。
【００３１】
各セルに対して、制御ノード（ｅＮｏｄｅＢ）１４０があり、セル内のユーザへのトラフィック、およびセル内のユーザからのトラヒックを制御する。ＵＥからｅＮｏｄｅＢへのトラヒックは、上りリンク・トラヒック（ＵＬトラヒック）として知られ、他の方向のトラヒックは下りリンク・トラヒック（ＤＬトラヒック）として知られる。
【００３２】
上述したように、ＬＴＥシステムでは、セル内の異なるＵＥからの複数の送信が、セルのｅＮｏｄｅＢに同時に到達することが重要である。ＵＥは、それらのＵＬ送信を行う時刻に関して、ｅＮｏｄｅＢから命令を受信するが、図１で分かるように、また示すように、ｅＮｏｄｅＢでのＵＬ送信の到達は、ｅＮｏｄｅＢと問題のＵＥとの間の距離に依存するであろう。例えば、ＵＥ１２０と１３０からの同時送信は、ＵＥ１２０からのＵＬ送信がＵＥ１３０からのＵＬ送信の到達の前に到達するというように、異なる時点でｅＮｏｄｅＢ１４０に到達するであろう。
【００３３】
この理由のため、ＬＴＥシステムはＵＬ送信の“タイミング・アドバンス”というシステムを採用するが、それは、ｅＮｏｄｅＢがＵＥにタイミング・アドバンス値、即ち、ＵＬ送信用のタイミング命令に適用すべき“オフセット”を知らせる、ということである。セルのｅＮｏｄｅＢは、ｅＮｏｄｅＢでＵＥから受信するＵＬ送信を測定することにより、ＵＥのタイミング・アドバンス値を決定し、時刻調整命令として信号伝達する。
【００３４】
３本の時刻線を用いてタイミング・アドバンスと当該パラメータの異なる値との概念を図２に示す。一番上の時刻線は、セル１１０のＵＥからｅＮｏｄｅＢ１４０へのＵＬ送信の公称ウインドウを示す。公称ウインドウはｔ１とｔ２との間に広がる。中間の時刻線はＵＥ１２０のためのタイミング・アドバンスを示す。ＵＥ１２０はｅＮｏｄｅＢから所定の距離に位置するため、これらの送信がｔ１とｔ２との間にｅＮｏｄｅＢに到達するために、ＵＥ１２０はｔ’１とｔ’２との間で、当該送信を行う必要がある。このことはまた、図２で、Δ１の値を有する時間のオフセット、即ち、タイミング・アドバンスによりＵＥ１２０のＵＬ送信ウインドウを移動させるものとして、見ることができる。
【００３５】
図２の一番下の時刻線は、ＵＥ１３０のタイミング・アドバンスを示す。ＵＥ１３０はｅＮｏｄｅＢからかなり離れているため、これらの送信がｔ１とｔ２との間にｅＮｏｄｅＢに到達するために、ＵＥ１３０はｔ”１とｔ”２との間で、当該送信を行う必要がある。このことはまた、図２に示すように、Δ２の値を有するタイミング・アドバンスによりＵＥ１３０のＵＬ送信ウインドウを移動させるものとして、見ることができる。
【００３６】
本発明は主として、コンテンションベースランダム・アクセス手順のために意図しており、以下に示すような番号を付与したメッセージ（ＭＳＧ）で、図３に示す。
ＭＳＧ１：ＵＥがｅＮｏｄｅＢに送信するランダム・アクセス・プリアンブル。
ＭＳＧ２：メッセージ１の測定に基づく、タイミング・アドバンスの更新を含む、ｅＮｏｄｅＢからのランダム・アクセス応答。
ＭＳＧ３：メッセージ２の命令の基づく、ＵＥからのスケジュール送信。
ＭＳＧ４：コンテンションベース手順を“獲得した”ＵＥを特定するために送信される、ｅＮｏｄｅＢからのメッセージコンテンツ解決メッセージ。
【００３７】
上記のようにメッセージ４が解決するプリアンブルの競合があれば、本発明が対処を意図する問題が理解できよう。メッセージ２でｅＮｏｄｅＢが送信するタイミング・アドバンス値は、“獲得している”ＵＥからのメッセージ１に基づいているが、競合している全てのＵＥに適用される。したがって、１つの、即ち、獲得しているもの以外の競合しているＵＥの全ては、それらに対して誤りのあるタイミング・アドバンス値を適用することになる。
【００３８】
この問題を克服するための本発明の基本的着想は、ＵＥがコンテンションベース手順を失った場合に、当該ｅＮｏｄｅＢとの通信を要求するＵＥは、ｅＮｏｄｅＢとの通信を要求する前にＵＥが持っていたタイミング・アドバンス値を使用するということである。したがって、ｅＮｏｄｅＢがタイミング・アドバンス値とともに開始メッセージを送信する場合であっても、その時もう１つのＵＥとの通信を継続していれば、例えば、ＵＥの通信要求は、ＵＥが失うコンテンションベース手順の一部である場合は、ＵＥはその“元の”タイミング・アドバンス値を使用するであろう。
【００３９】
図４にこの基本的原理のフローチャートを示す。
・ステップ４０２で、図３のＭＳＧ１を送信して、ｅＮｏｄｅＢとの通信を要求し、
・ステップ４０５で、添付のタイミング・アドバンス値、ＴＴＡ２とともに、ＵＥは図３のメッセージ２（ＭＳＧ２）を受信し、
・ステップ４１０で、ＵＥはコンテンションベース手順を失う、即ち、制御ノードはもう１つのユーザ端末と開始した通信を継続し、
・ステップ４１５で、ｅＮｏｄｅＢにメッセージを送信するために、ＵＥはＴＴＡ１を使用する。
【００４０】
本発明の１つの実施例では、ＵＥがコンテンションベース手順を失えば、ＵＥは元のタイミング・アドバンス値、即ち、ＴＴＡ１を使用するが、図３のＭＳＧ３として示す後続のメッセージでは、“更新した”タイミング・アドバンス値、即ち、ＴＴＡ２を使用する。この実施形態の更なる実施例では、ＵＥがコンテンションベース手順を“獲得する”のであれば、ＵＥはまたＴＴＡ２を使用するであろう。
【００４１】
本発明のもう１つの実施形態では、ＵＥがコンテンションベース手順を“獲得する”のであれば、ＵＥは元のタイミング・アドバンス値、即ち、ＴＴＡ１を使用するであろう。
【００４２】
望ましくは、ＵＥがｅＮｏｄｅＢとの通信を要求する場合、有効なタイミング・アドバンス値を有するのであれば、図４に示す原理と上記で説明した実施例とを適用するのみである。有効なタイミング・アドバンス値の概念は、次のように実装できるのが望ましい：タイミング・アドバンス値、例えば、ＴＴＡ１およびＴＴＡ２、は、本明細書で“時刻調整タイマ”と称するタイマに関連する有効性を持ち、それは、時刻調整タイマが失効したという事実のため、即ち、時刻調整タイマが実行されていない場合、タイミング・アドバンス値が無効になっても良い、ということである。例えば、タイミング・アドバンス値のような明確な所定のメッセージをｅＮｏｄｅＢから受信する場合、タイマを開始し、この場合、上記に述べた無効性の理由は、タイマが失効したということである。また、ノードＢとＵＥとの間の進行中の“データ・セッション”中の所定のメッセージにより、一個のタイマまたは複数のタイマを開始しても良い。
【００４３】
タイミング・アドバンス値の有効性を決定するためにタイマを使用するなら、上記に示したタイミング・アドバンス値、即ち、ＴＴＡ１およびＴＴＡ２の各々に１個のタイマの必要性があるだろうし、これらのタイマは次の方法で処理される必要があろう。
・ＵＥが“古い”タイミング・アドバンス値ＴＴＡ１に戻るなら、ｅＮｏｄｅＢからＴＴＡ１を受信した時点を反映する時刻調整タイマを使用すべきである。
・ＵＥがランダム・アクセス手順を成功裏に完了し、新しい時刻調整タイマ値ＴＴＡ２を使用するなら、ｅＮｏｄｅＢからＴＴＡ２を受信した時点を反映する時刻調整タイマを使用すべきである。
【００４４】
ＵＥにおけるタイミング・アドバンス値のタイマを正しく管理するため、本発明は多くの異なる可能性を提案する。
・１つの解決策は、コンテンションベース手順の完了の間、ＵＥが、並行して実行する２個の異なるタイマを有し、次に、その手順が成功しているか否かに依存して、即ち、ＵＥがその手順を“獲得して”いるか否かで、適当なタイマを選択する、ということであり、
・第２の解決策は、単一の時刻調整タイマを使用することであるが、ＵＥがＴＴＡ２を受信する場合はタイマの“スナップショット”をとり、次にそのタイマを再起動することである。その手順が不成功であり、ＵＥがＴＴＡ１に戻るのであれば、ＵＥはタイマの格納したスナップショットをタイマの現在の値に加算する。
・第３の解決策は、単一の時刻調整タイマを使用することであるが、ＵＥがＴＴＡ２を受信する場合はタイマの“スナップショット”をとり、次に、手順がタイムアウトのため成功裏に終了するまでか、又は不成功裏に終了するまで、ＴＴＡ２の受信からの時間を反映する固定値を適用することである。この値は、ＲＡ手順のリマインダの待ち時間の最大値または最小値のどちらかを反映することが可能であろう。
・第４の実施例では、有効な時刻調整値を既に有するＵＥは、ランダム・アクセス応答メッセージで受信した時刻調整値を無視し、そのタイミング値により図３のメッセージ３のような後続のＵＬメッセージを送信する。
【００４５】
図５は、本発明の一般的方法のフローチャートを示す。図５では、オプションまたは代替のステップを破線で示す。
【００４６】
上述したように、セルラ通信システムのユーザ端末における使用のため、本方法５００を意図しており、ステップ５０５に示すように、本発明の方法によれば、ユーザ端末は、第１のタイミング・アドバンス値ＴＴＡ１を制御ノードへの当該送信に適用する。
【００４７】
また、方法５００によれば、ユーザ端末は、ステップ５１０で、図３に示したＭＳＧ１などのアクセス要求を送信してコンテンションベース手順で制御ノードとの通信を要求し、ステップ５１５に示すように、応答において、制御ノードは、要求された通信のため、第２のタイミング・アドバンス値ＴＴＡ２と共に、図３に示すＭＳＧ２などの開始メッセージを送信する。
【００４８】
ステップ５２０は、図３に示すメッセージ（ＭＳＧ３）、即ち、ＭＳＧ２の命令に基づく、ＵＥからのスケジュール送信を示す。ステップ５２１に示すように、本発明の１つの実施形態では、ユーザ端末は、ＭＳＧ３のなどの開始メッセージに続くメッセージにおいて、第２のタイミング・アドバンス値を使用する。
【００４９】
ステップ５２３と５２４は、ユーザ端末がコンテンションベース手順を失う場合、即ち、制御ノードがもう１つのユーザ端末と開始した通信を引き続いて継続する場合、ユーザ端末は第１のタイミング・アドバンス値ＴＴＡ１を使用する。また図３と関連して説明したように、コンテンションベース手順の結果はＭＳＧ４を用いて示される。
【００５０】
ステップ５３１は、代替の実施形態において、ユーザ端末がコンテンションベース手順を獲得する場合、ユーザ端末は第１のタイミング・アドバンス値を使用することを示す。
【００５１】
ステップ５３２は、この実施形態の１つの実施例において、ユーザ端末がコンテンションベース手順を獲得するなら、ユーザ端末は第２のタイミング・アドバンス値を使用することを示す。
【００５２】
本発明の１つの実施形態では、ステップ５３５に示すように、ユーザ端末が第１のタイミング・アドバンス値を有効と考える場合、本発明の方法を適用する。
【００５３】
ステップ５４０は、本発明の更なる実施形態では、ユーザ端末のタイミング・アドバンス値はタイマと関連付けられ、タイマの継続時間の間は有効と考えることを示す。タイマは、制御ノード１４０からの所定のメッセージを受信して起動され、それは、第１と第２のタイミング・アドバンス値を、それぞれのメッセージの受信で起動した、それぞれ第１と第２のタイマと関連付けられるということである。
【００５４】
タイマを使用する実施形態では、ステップ５４５に示すように、ユーザ端末は、第１のタイミング・アドバンス値と関連付けられたタイマに、第２のタイマと関連付けられた開始メッセージの受信後に実行を継続させ、次に、引き続いて使用するタイミング・アドバンス値（ＴＴＡＮ）と関連付けられたタイマ値を使用することができる。
【００５５】
“タイマ実施形態”のもう１つの実施例では、ステップ５５０に示すように、ユーザ端末は、第２のタイミング・アドバンス値の受信後、第１のタイミング・アドバンス値と関連付けられたタイマの値を保存する。制御ノードが引き続いてその他のユーザ端末と開始した通信を継続するのであれば、ユーザ端末は、保存した値と第２のアドバンス値のタイマの現在の値との和であるタイマ値を使用する。
【００５６】
“タイマ”実施形態の第３の実施例では、ステップ５５５に示すように、有効なタイミング・アドバンス値を有するユーザ端末は、第２のタイミング・アドバンス値の受信に関係なく、この値を使用する。
【００５７】
また、上記の説明から明らかになったように、同じ問題が起こる全てのセルラ・システムで本発明を使用できるが、望ましい実施形態では、ＬＴＥ（ロング・ターム・エボリューション）システムで本発明の本方法を適用し、それは、ユーザ端末がＬＴＥ  ＵＥであり、制御ノードがＬＴＥ  ｅＮｏｄｅＢであろうということである。ＬＴＥシステムで本方法を適用するのであれば、それを採用する手順は、ＬＴＥランダム・アクセス手順であることが望ましい。
【００５８】
図６は、ユーザ端末、即ち、本発明に従って機能するＵＥとして使用するための、トランシーバ６００の概略的ブロック図である。図６に示すように、本トランシーバ６００には、ブロック６１０に示すアンテナを備え、また受信部６２０と送信部６３０とを備える。さらに、トランシーバ６００には、マイクロプロセッサのような制御手段６４０と、同じくメモリ６５０とが備えられる。
【００５９】
制御手段６４０とメモリ６５０は、第１のタイミング・アドバンス値を制御ノードへの当該送信に適用するため、トランシーバによって使用され、さらにトランシーバには、ＭＳＧ１のようなアクセス要求を送信することにより、コンテンションベース手順で制御ノードとの通信を要求するため、メモリ６４０、送信部６３０およびアンテナ６１０のような手段が備えられる。
【００６０】
また、トランシーバ６００は、制御ノードからの応答で、第２のタイミング・アドバンス値と共にＭＳＧ２などの開始メッセージを受信するため、アンテナ６１０と受信器６２０とを使用する。加えて、ユーザ端末がコンテンションベース手順を失うのであれば、即ち、制御ノードがもう１つのユーザ端末と開始した通信を引き続いて継続するのであれば、第１のタイミング・アドバンス値を使用するため、制御手段６４０とメモリ６５０とを使用する。
【００６１】
１つの実施形態において、上記開始メッセージに続くＭＳＧ３などのメッセージで、第２のタイミング・アドバンス値を使用するため、トランシーバは次のような構成要素を使用するであろう：制御手段６４０、メモリ６５０、受信器６３０およびアンテナ６１０。この実施形態では、また、コンテンションベース手順を獲得するのであれば、トランシーバ６００は第２のタイミング・アドバンス・メッセージを使用することが可能である。
【００６２】
もう１つの実施形態では、コンテンションベース手順を獲得すれば、第１のタイミング・アドバンス・メッセージを適用するため、トランシーバ６００は次に示す構成要素を使用する：制御手段６４０、メモリ６５０、受信器６３０およびアンテナ６１０。
【００６３】
更なる実施形態では、ユーザ端末が第１のタイミング・アドバンス値が有効と考えるのであれば、検査のために、そしてその場合、第１のタイミング・アドバンス値を適用するために、トランシーバ６００は制御手段６４０、メモリ６５０、受信器６３０およびアンテナ６１０を使用する。
【００６４】
或いは、トランシーバ６００は、タイミング・アドバンス値をタイマと関連付けるため、同じく、上記タイマの継続期間はそのタイミング・アドバンス値は有効と考えるため、メモリ６５０と共に制御手段６４０を使用しても良く、それと同時に、制御ノードからの所定のメッセージを受信した後にタイマを起動するため、アンテナ６１０と受信部６２０とを使用してもよく、それは、第１および第２のタイミング・アドバンス値の各々を、それぞれのメッセージの受信後に起動した第１および第２のタイマそれぞれと関連付けられるということである。
【００６５】
タイマを使用するなら、第１のタイミング・アドバンス値と関連付けられたタイマに、第２のタイマを起動するメッセージを受信した後に実行を継続させるため、同様に、引き続いて使用するタイミング・アドバンス値と関連付けられたタイマ値を使用するため、制御部６４０とメモリ６５０とを使用しても良い。
【００６６】
或いは、タイマを使用するなら、第２のタイミング・アドバンス値を受信して第１のタイミング・アドバンス値と関連付けられたタイマの値を保存するため、同様に、制御ノードが、その他のユーザ端末と開始した通信を引き続いて継続するのであれば、保存した値と第２のアドバンス値のタイマにおける現在値との和であるタイマ値を使用するため、トランシーバ６００は制御部６４０とメモリ６５０とを使用することができる。
【００６７】
更なる実施形態では、トランシーバ６００は、それが有効な時刻調整値を有するのであれば、第２の時刻調整値の受信に関係なく、当該値を使用するであろう。
【００６８】
上記の説明から適切に明らかになったように、本トランシーバ６００は、ユーザ端末、ＬＴＥ（ロング・ターム・エボリューション）システムのＵＥであることが適切であり、即ち、それはＬＴＥ  ＵＥである。
【００６９】
本発明は、上記で説明し、図で示した実施形態の例に限定されず、添付の特許請求項の範囲内で自由に変更されうる。
【図１】
2011503960.tif 000003
【図２】
2011503960.tif 000004
【図３】
2011503960.tif 000005
【図４】
2011503960.tif 000006
【図５ａ】
2011503960.tif 000007
【図５ｂ】
2011503960.tif 000008
【図６】
2011503960.tif 000009
【手続補正書】
【提出日】平成22年5月27日(2010.5.27)
【手続補正１】
【補正対象書類名】特許請求の範囲
【補正対象項目名】全文
【補正方法】変更
【補正の内容】
【特許請求の範囲】
【請求項１】
セルラ通信システム（１００）において、ユーザ端末（１２０、１３０）で使用するための方法（５００）であって、
前記ユーザ端末（１２０、１３０）が、第１のタイミング・アドバンス値（ＴＴＡ１）を制御ノード（１４０）への送信に適用し（５０５）、
前記ユーザ端末（１２０、１３０）が、アクセス要求（ＭＳＧ１）を送信することによって、コンテンションベース手順において前記制御ノード（１４０）との通信を要求し（５１０）、
前記ユーザ端末（１２０、１３０）が、応答として、前記制御ノード（１４０）から、第２のタイミング・アドバンス値（ＴＴＡ２）と共に（５２０）、開始メッセージ（ＭＳＧ２）を受信し（５１５）、
前記ユーザ端末（１２０、１３０）が前記コンテンションベース手順を失った場合である、前記制御ノードが他のユーザ端末と開始した通信を引き続き継続する場合に、前記ユーザ端末（１２０、１３０）が前記第１のタイミング・アドバンス値を使用する（５２３、５２４）
ことを特徴とする方法。
【請求項２】
前記ユーザ端末が、前記開始メッセージに続くメッセージ（ＭＳＧ３）において、前記第２のタイミング・アドバンス値を使用する（５２１）ことを特徴とする請求項１に記載の方法。
【請求項３】
前記ユーザ端末が、該ユーザ端末が前記コンテンションベース手順を獲得した場合に、前記第２のタイミング・アドバンス値（ＴＴＡ２）を使用する（５３２）ことを特徴とする請求項２に記載の方法。
【請求項４】
前記ユーザ端末が、該ユーザ端末が前記コンテンションベース手順を獲得した場合に、前記第１のタイミング・アドバンス値（ＴＴＡ１）を使用する（５３１）ことを特徴とする請求項１に記載の方法。
【請求項５】
前記ユーザ端末が、前記ユーザ端末によって前記第１のタイミング・アドバンス値（ＴＴＡ１）が有効と見なされれば、該第１のタイミング・アドバンス値を使用する（５３５）ことを特徴とする請求項１乃至４の何れか１項に記載の方法。
【請求項６】
有効な第１のタイミング・アドバンス値を有するユーザ端末は、第２のタイミング・アドバンス値の受信に関わらず、該第１のタイミング・アドバンス値を使用することを特徴とする請求項１に記載の方法。
【請求項７】
前記ユーザ端末が使用するタイミング・アドバンス値は、タイマに関連付けられ、該タイマが継続する間は有効と見なされ、
前記タイマは、前記制御ノード（１４０）からの所定のメッセージの受信に応じて起動され、前記第１及び第２のタイミング・アドバンス値がそれぞれのメッセージの受信に応じて起動される第１のタイマ及び第２のタイマとそれぞれ関連付けられる（５４０）ことを特徴とする請求項５又は６に記載の方法。
【請求項８】
前記ユーザ端末が、前記第２のタイマを起動するメッセージの受信後に、前記第１のタイミング・アドバンス値に関連付けられた前記第１のタイマを継続して使用し、引き続き使用する前記タイミング・アドバンス値に関連付けられたタイマ値を使用する（５４５）ことを特徴とする請求項７に記載の方法。
【請求項９】
前記ユーザ端末が、前記第２のタイミング・アドバンス値の受信に応じて、前記第１のタイミング・アドバンス値に関連付けられた前記第１のタイマの値を保存し、
前記制御ノードが前記他のユーザ端末と前記開始した通信を引き続き継続する場合に、前記保存した値と、前記第２のタイミング・アドバンス値のタイマの値との合計値となるタイマ値を使用する（５５０）ことを特徴とする請求項７に記載の方法。
【請求項１０】
前記方法はＬＴＥ（ロング・ターム・エボリューション）システムに適用され、
前記ユーザ端末（１２０、１３０）は、ＬＴＥ  ＵＥであり、
前記制御ノード（１４０）は、ＬＴＥ  ｅＮｏｄｅＢであることを特徴する請求項１に記載の方法。
【請求項１１】
前記方法は、ＬＴＥランダム・アクセス手順に提供されることを特徴とする請求項６に記載の方法。
【請求項１２】
セルラ通信システムにおけるユーザ端末として使用されるトランシーバ（６００）であって、
第１のタイミング・アドバンス値を制御ノードへの送信に適用する手段（６４０、６５０）と、
アクセス要求（ＭＳＧ１）を送信することによって、コンテンションベース手順において前記制御ノードとの通信を要求する手段（６４０、６３０、６１０）と、
応答として、第２のタイミング・アドバンス値と共に（５２０）、開始メッセージ（ＭＳＧ２）を受信する手段（６１０、６２０）と、
前記ユーザ端末が前記コンテンションベース手順を失った場合である、前記制御ノードが他のユーザ端末と開始した通信を引き続き継続する場合に、前記第１のタイミング・アドバンス値を使用する手段（６４０、６５０）と
を備えることを特徴とするトランシーバ。
【請求項１３】
前記開始メッセージに続くメッセージにおいて、前記第２のタイミング・アドバンス値を使用する手段（６４０、６５０、６３０、６１０）を備えることを特徴とする請求項１２に記載のトランシーバ。
【請求項１４】
前記コンテンションベース手順を獲得した場合に、前記第２のタイミング・アドバンス値を使用することを特徴とする請求項１３に記載のトランシーバ。
【請求項１５】
前記コンテンションベース手順を獲得した場合に、前記第１のタイミング・アドバンス値を使用する手段（６４０、６５０、６３０、６１０）を備えることを特徴とする請求項１２に記載のトランシーバ。
【請求項１６】
前記ユーザ端末によって前記第１のタイミング・アドバンス値が有効と見なされているかどうかを確認し、該第１のタイミング・アドバンス値が有効であると見なさていれば、該第１のタイミング・アドバンス値を適用する手段（６４０、６５０、６３０、６１０）を備えることを特徴とする請求項１３又は１５に記載のトランシーバ。
【請求項１７】
有効なタイミング・アドバンス値を有する場合に、第２のタイミング・アドバンス値の受信に関わらず、該有効なタイミング・アドバンス値を使用することを特徴とする請求項１２に記載のトランシーバ。
【請求項１８】
タイミング・アドバンス値と、タイマとを関連付ける手段（６４０、６５０）と、
前記タイマが継続する間は前記タイミング・アドバンス値を有効と見なす手段（６４０、６５０）と、
前記制御ノード（１４０）からの所定のメッセージの受信に応じて前記タイマを起動する手段（６１０、６２０、６４０、６５０）と、を備え、
前記第１及び第２のタイミング・アドバンス値がそれぞれのメッセージの受信に応じて起動される第１のタイマ及び第２のタイマとそれぞれ関連付けられることを特徴とする請求項１６又は１７に記載のトランシーバ。
【請求項１９】
前記第２のタイマを起動するメッセージの受信後に、前記第１のタイミング・アドバンス値に関連付けられた前記第１のタイマを継続して使用する手段（６４０、６５０）と、
引き続き使用する前記タイミング・アドバンス値に関連付けられたタイマ値を使用する手段（６４０、６５０）と
を備えることを特徴とする請求項１８に記載のトランシーバ。
【請求項２０】
前記第２のタイミング・アドバンス値の受信に応じて、前記第１のタイミング・アドバンス値に関連付けられた前記第１のタイマの値を保存する手段（６４０、６５０）と、
前記制御ノードが前記他のユーザ端末と前記開始した通信を引き続き継続する場合に、前記保存した値と、前記第２のタイミング・アドバンス値のタイマの値との合計値となるタイマ値を使用する手段（６４０、６５０）と
を備えることを特徴とする請求項１８に記載のトランシーバ。
【請求項２１】
ＬＴＥ（ロング・ターム・エボリューション）システムに適用され、ＬＴＥ  ＵＥとして使用されることを特徴する請求項１２に記載のトランシーバ。
【国際調査報告】
2011503960.tif 000010
2011503960.tif 000011
2011503960.tif 000012